(57)【要約】      （修正有）【課題】カートに結束されて運搬が容易であり、空間活用度を顕著に向上させたカートバッグを提供する。【解決手段】区画板が備えられたカートバッグであって、ポケット部１１が備えられており、収納空間部に空間区画部が設けられているショッピングバッグと；ショッピングバッグが挿設されるカートとで；構成されている。カートは、上部にボタン部２１ｃで操作されて取手部の高低の調節が可能な垂直フレーム部２１と；垂直フレーム部２１の長さ方向と直交に結合軸を基準に折り畳み自在に結合されており、その底面に設けられている車輪部２３及び受け部２４と；垂直フレーム部２１に一定の間隔に形成された固定結合部２１ａとで；構成されている。【選択図】図１
0003217897.tif 000002
【実用新案登録請求の範囲】
【請求項１】
区画板が備えられたカートバッグにおいて、
外壁に1以上のポケット部が備えられており、蓋部で開閉され、締結部により密閉されることができる1以上の開放部を備えているショッピングバッグと；
上記ショッピングバッグが結合することができる垂直フレーム部及び垂直フレーム部に折り畳み自在に結合される水平フレーム部を備えているカートと；を備える
ことを特徴とする区画板が備えられたカートバッグ。
【請求項２】
ショッピングバッグの蓋部に内設されていると固定体を備える
請求項1に記載の区画板が備えられたカートバッグ。
【請求項３】
垂直フレーム部に一定の間隔に付設された固定結合部と；
ショッピングバッグが垂直フレーム部に結合するとき、上記固定結合部が収納空間部に露出することができるようにショッピングバッグに穿孔されている貫通口と；
貫通口を介してショッピングバッグの収納空間部に露出する固定結合部に結合することができるように、一端に固定挿入部が備えられた固定ベース部と、上記固定ベース部の他端に形成されており、内壁に回動突起部が成形されている回動結合空間部及び上記回動結合空間部を介して固定ベース部に結合されることができるようにレール溝が形成されている挿入部を備えた折り畳み部を備えている空間区画部と；を備える
請求項1に記載の区画板が備えられたカートバッグ。
【請求項４】
ショッピングバッグの収納空間部の内壁と結束されることができるように枠及び収納空間部の内壁に締結部が備えられている補助区画部を備える
請求項1に記載の区画板が備えられたカートバッグ。
【請求項５】
折り畳み部の底面に形成されている締結突出結合部と；
上記締結突出結合部に回転可能なように結合される受け固定部と；
上記受け固定部が折り畳み部の底面に固定されることができるように折り畳み部の底面に形成された折り畳み結束部と；を備える
請求項3に記載の区画板が備えられたカートバッグ。
【考案の詳細な説明】
【技術分野】
【０００１】
本考案は、区画板が備えられたカートバッグに関し、カートと；上記カートにバンド部を用いて設けられることができ、蓋部の開閉が可能な開口部を形成されており、収納空間部に空間区画部が設けられているショッピングバッグで；構成されている区画板が備えられたカートバッグに関する。
【背景技術】
【０００２】
一般的に、買い物かごは大型で製作され、様々な食材等の家庭用品を収納することができるように製作されているが、買い物かごに収納される物品が多くなる場合、その重量により携帯が難しいという問題点があった。これに対し、出願番号第20-1999-0005495号の車輪付き携帯用の買い物かごでは、合成樹脂材の買い物かごと車輪付きの一般の手押し車を結合して、手押し車と買い物かごが一体感があり、多くの物品を収納し、運搬することができるようにした車輪付き携帯用の買い物かごを提供し、買い物かごに収納された物は、製品群に基づいて分類して収納することができず、更に空間の活用度が低下するという問題点があった。
【考案の開示】
【０００３】
そこで、本考案のショッピングバッグは、カートに結束されて運搬が容易であり、ショッピングバッグの収納空間部の内壁に補助区画部及び空間区画部を設けて、空間活用度を顕著に向上させた区画板が備えられたカートバッグを提供しようとする。
【０００４】
本考案は、区画板が備えられたカートバッグに関し、カートに結束されるショッピングバッグの収納空間の活用度を向上させるための区画板が備えられたカートバッグを提供しようとする。
【０００５】
上記課題を解決するために、本考案は、ショッピングバッグの背面外壁に形成されたバンド部を用いて、カートにショッピングバックを結束させることができる区画板が備えられたカートバッグを提供することで解決される。
【０００６】
また、本考案は、ショッピングバッグの側面外壁、前面外壁又は背面外壁に1以上のポケット部を備えており、ショッピングバッグの収納空間の拡大を図った区画板が備えられたカートバッグを提供することで解決される。
【０００７】
また、本考案は、物品を分類して収納するためにショッピングバッグの収納空間部の内壁に空間区画部を設けて、ショッピングバッグの収納空間部の活用度を極大化することができる区画板が備えられたカートバッグを提供することで解決される。
【０００８】
また、本考案は、ショッピングバッグの収納空間部に設けられる空間区画板を必要時に折り畳んだり広げたりしてショッピングバッグの収納空間部の区画を可変することができるようにした区画板が備えられたカートバッグを提供することで解決される。
【０００９】
また、本考案のショッピングバッグには複数の蓋部で開閉され、締結部で密閉又は開放されることができる開放部で構成されており、上記の空間区画部を用いて物品を多段に収納することができる区画板が備えられたカートバッグを提供することで解決される。
【００１０】
本考案は、区画板が備えられたカートバッグに関し、ショッピングバッグをカートに結合させることができるようにして物品をショッピングバッグに積載時、ショッピングバッグを容易に運搬することができ、また、ショッピングバッグの収納空間部に空間区画部を設けることによって、積載される物品により必要時に収納空間部を区画することができるので、空間活用性を極大化し、且つ、複数のポケット部が備えることによって、収納空間の拡大を図り、カートを折り畳むことができ、保管が容易であるという効果がある。
【図面の簡単な説明】
【００１１】
【図１】区画板が備えられたカートバッグの全体斜視図
【図２】区画板が備えられたカートバッグの全体斜視図
【図３】区画板が備えられたカートバッグのカートの斜視図
【図４】区画板が備えられたカートバッグのカートの詳細図
【図５】区画板が備えられたカートバッグのバッグの斜視図
【図６】区画板が備えられたカートバッグのバッグの詳細図
【図７】区画板が備えられたカートバッグの分離斜視図
【図８】区画板が備えられたカートバッグの空間区画部の詳細図
【図９】区画板が備えられたカートバッグの空間区画部の斜視図
【図１０】区画板が備えられたカートバッグの空間区画部の断面図
【考案を実施するための最良の形態】
【００１２】
以下、添付された図面を参照してより詳細に説明する。
これに先立ち、本明細書及び請求の範囲に使用される用語や単語は、通常的又は辞典的な意味に限定して解釈されてはならず、考案者はその自身の考案を最も最善の方法で説明するために、用語の概念を適切に定義することができるという原則に立脚して、本考案の技術的思想に符合する意味と概念として解釈されるべきである。
【００１３】
したがって、本明細書に記載された実施例と図面に示された構成は、本考案の最も好ましい一実施例に過ぎないだけであり、本考案の技術的思想をすべて代弁するものではないので、本出願の時点において、これらを代替することができる様々な均等物と変形例があり得ることを理解しなければならない。
【００１４】
本考案は、区画板が備えられたカートバッグに関し、ポケット部(11)が備えられており、収納空間部(17)に空間区画部(30)が設けられているショッピングバッグ(10)と；上記ショッピングバッグ(10)が挿設されるカート(20)で；構成されている区画板が備えられたカートバッグに関する。
【００１５】
より具体的には、カート(20)は、上部にボタン部(21c)で操作されて取手部(21b)の高低の調節が可能な垂直フレーム部(21)と；上記垂直フレーム部(21)の長さ方向と直交に結合軸(25)を基準に折り畳み自在に結合されており、その底面に設けられている車輪部(23)及び受け部(24)と；上記垂直フレーム部(21)に一定の間隔に形成された固定結合部(21a)で；構成されている。
【００１６】
また、図3及び図4に示すように、水平フレーム部(22)は、垂直フレーム部(21)の方向に結合軸(25)を基準に折り畳むことができる。より詳細には、水平フレーム部(22)の支持軸(29)にその一端が結合されている受け部(24)と垂直フレーム部(21)との間に結合されている接続ロッド(28)は、その一端が垂直フレーム部(21)の先端回転軸(26)に結合されており、その他端は受け部(24)の連結軸(27)に結合されており、図4のように、上記結合軸(25)、回転軸(26)、連結軸(27)及び支持軸(29)を基準に水平フレーム部(22)及び受け部(24)は折り畳まれることができる。
【００１７】
上記の取手部(21b)に付設されたボタン部(21c)を用いて、取手部(21b)の高低を調節することと、上記折り畳まれることができる水平フレーム部(22)と受け部(24)は、既存に公知の技術からの類推が自明であることは別途説示しないことにする。
【００１８】
また、ショッピングバッグ(10)は内部に形成された収納空間部(17)と；背面外壁に備えられてカート(20)にショッピングバッグ(10)の結合を図るバンド部(12)と；前面外壁、側面外壁又は背面外壁に備えられた1以上のポケット部(11)と；ショッピングバッグ(10)に形成されている1以上の開放部(13)と；上記開放部(13)を開閉することができ、固定体(15a)が備えられた蓋部(15)と；開放部(13)と蓋部(15)を密閉又は開放することができる締結部(14)と；ショッピングバッグ(10)の収納空間部(17)に設けられている1以上の補助区画部(18)と；上記垂直フレーム部(21)の固定結合部(21a)の間隔により穿孔されている貫通口(16)で；構成され、外壁に備えられたポケット部(11)に物を収納することができ、また、収納空間部(17)に物品を収納するために、蓋部(15)で密閉又は開放することができる1以上の開放部(13)がショッピングバッグ(10)の上面及び前面に形成されている。特に前面の開放部(13)は、1以上で構成されることができ、開放部(13)の個数によって別途の蓋部(15)が設けられる。
【００１９】
また、上記補助区画部(18)は、それぞれの空間区画部(30)の上部に設けられ、補助区画部(18)は、収納空間部(17)の内壁とファスナーを含む締結部(14)と結束されることによって、空間区画部(30)によって区画される収納空間部(17)をより強固に区画することができるようにした。
【００２０】
また、上記空間区画部(30)は、固定ベース部(31)と；上記固定ベース部(31)に挿入される折り畳み部(32)で；構成されており、固定ベース部(31)はショッピングバッグ(10)がカート(20)に結合されるとき、貫通口(16)を介してショッピングバッグ(10)の収納空間部(17)に露出する固定結合部( 21a)に挿結される。
【００２１】
具体的には、固定ベース部(31)はその一端に付設された固定挿入部(31a)と；他端に形成された回動結合空間部(31b)と；上記回動結合空間部(31b)の内壁に一体に形成されている2つの回動突起部(31c)で；構成されており、固定ベース部(31)は図7及び図8に示すように、底面と一側面が開放されている。
【００２２】
上記固定ベース部(31)の回動結合空間部(31b)に挿入される折り畳み部(32)は、外壁にレール溝(32b)が形成されている挿入部(32a)と；上記その底面に形成された締結突出結合部(32c)と；上記締結突出結合部(32c)は回動自在にその一端が結合されている枠型の受け固定部(32d)と；上記受け固定部(32d)が回動して、折り畳み部(32)の底面に押入されることができる折り畳み結束部(32e)で；構成されているので、上記固定ベース部(31)の回動結合空間部(31b)を介して折り畳み部(32)の挿入部(32a)が結合されることができ、挿入部(32a)のレール溝(32b)が回動結合空間部(31b)の内壁の回動突起部(31c)とかみ合って、図9のように、結合されることができ、折り畳み部(32)をレール溝(32b)に沿って引き出して、回動突起部(31c)を基準に下向きに折り畳むことができる。また、締結突出結合部(32c)に回動自在に結合された受け固定部(32d)を折り畳むことによって、折り畳み部(32)を下向きに折り畳むとき、受け固定部(32d)を折り畳み結束部(32e)に押入することによって、図10に示すように、収納空間部(17)の内壁に折り畳むことができる。
【００２３】
実施例では、ショッピングバッグ(10)のバンド部(12)を用いて、垂直フレーム部(21)にショッピングバッグ(10)を結合し、垂直フレーム部(21)に形成された固定結合部(21a)、ショッピングバッグ(10)の貫通口(16)及び空間区画部(30)の固定ベース部(31)を用いて、空間区画部(30)をショッピングバッグ(10)の収納空間部(17)に設けることができるようにした。すなわち、ショッピングバッグ(10)のバンド部(12)は、一端は不織布等が付着されており、図2に示すように、カートに結合されることができ、垂直フレーム部(21)の取手部(21b)にはボタン部(21c)が付設されており、図1、図3、図4に示すように、使用者の便宜により取手部(21b)の高低を調節することができる。また、カート(20)の水平フレーム部(22)と受け部(24)は、結合軸(25)、回転軸(26)及び連結軸(27)を基準に回転させることができ、保管や運搬の容易性を改善し、水平フレーム部(22)に結合された車輪部(24)を用いて、重い物品を容易に運搬することができ、車輪部(23)の上部にガードが別途に備えられているので、汚れが飛び散ることを防止することができようにした。
【００２４】
上記ショッピングバッグ(10)がカート(20)に結合されたとき、垂直フレーム部(21)の固定結合部(21a)の間隔によりショッピングバッグ(10)の貫通口(16)が穿孔されており、ショッピングバッグ(10)の貫通口(16)を介して露出した固定結合部(21a)に空間区画部(30)が設けられ、空間区画部(30)の固定ベース部(31)に備えられた固定挿入部(31a)が図7のように結合され、回動突起部(31c)が内壁に形成された固定ベース部(31)の回動結合空間部(31b)に折り畳み部(32)が挿入されて設けられることができるように作製されている。折り畳み部(32)に備えられた挿入部(32a)の両側壁にはレール溝(32b)が成形されており、回動結合空間部(31b)に挿入部(32a)が挿入されるとき、上記レール溝(32b )が回動突出部(32c)に沿ってスライド形式に結合され、図10のように、垂直フレーム部(21)と直交に支持されることができるようにし、また、さらに折り畳み部(32)には回転可能なように、その底面に設けられた受け固定部(32d)が備えられているので、垂直フレーム部(21)と直交に結合された折り畳み部(32)を補助的に支持することができるようにした。
【００２５】
但し、折り畳み部(32)を下向きに折り畳むとき、受け固定部(32d)を折り畳み部(32)の底面に形成された折り畳み結束部(32e)に押入して、受け固定部(32d)を折り畳み部(32)の底面に固定することができ、折り畳み部(32)をレール溝(32b)に沿って引き出し、折り畳み部(32)の挿入部(32a)が締結突出結合部(32c)を中心に下向きに回転することによって、垂直フレーム部(21)と水平となるように折り畳むことができる。
【００２６】
また、側面外壁、前面外壁又は背面外壁に1以上のポケット部(11)を備えることができるので、収納空間部(17)の拡張を図ることができ、カート(20)は折り畳みが可能であり、使用しないときは折り畳んで保管することができる。
【００２７】
また、収納空間部(17)に設けられる空間区画部(30)の上部には補助区画部(18)が備えられ、補助区画部(18)は収納空間部(17)の内壁と結束されることによって、空間区画部(30)と収納空間部(17)との内壁の間に物品が離脱することを防止することができるようにした。
【００２８】
また、ショッピングバッグ(10)の蓋部(15)に内設される固定体(15a)は、蓋部(15)を開放したとき、開放された状態を維持するためのものであり、物品をショッピングバッグ(10)の開放部(13)を介して収納空間部(17)に積載するとき、ショッピングバッグ(10)の蓋部(15)の材質により、蓋部(15)が開放部(13)の閉じられることや開放部(13)の蓋部(15)により遮られることを防止し、開放部(13)を介して物品を収納空間部(17)に積載時、その使用の便宜性を改善するためのものである。
【００２９】
以上のように、本考案では、具体的な構成要素等のような特定の事項と限定された実施例及び図面により説明したが、これは、本考案のより全体的な理解を助けるために提供されたものであるだけで、本考案は、上記の実施例に限定されるものではなく、本考案の属する分野における通常の知識を有する者であれば、このような記載から多様な修正及び変形が可能である。
【００３０】
したがって、本考案の思想は説明した実施例に限定されず、請求の範囲と均等又は等価的変形があるすべてのものは本考案の範疇に属する。
【図１】
0003217897.tif 000003
【図２】
0003217897.tif 000004
【図３】
0003217897.tif 000005
【図４】
0003217897.tif 000006
【図５】
0003217897.tif 000007
【図６】
0003217897.tif 000008
【図７】
0003217897.tif 000009
【図８】
0003217897.tif 000010
【図９】
0003217897.tif 000011
【図１０】
0003217897.tif 000012